(57)【要約】【課題】おしゃぶりを衛生的に保管でき且つ収納・取出し容易なおしゃぶりホルダーを提供する。【解決手段】ストラップ基端に固定具を備え、前記基端とストラップ先端の間にマスコットを具備し、ストラップ先端近辺におしゃぶりを掛止可能なストラップ付きおしゃぶりホルダーであり、前記マスコットは柔軟な素材製であって、中空状であり且つ開口部を有し、前記開口部内側若しくは外側周辺に、おしゃぶりを収納・取出し自在な開口部を有するおしゃぶり収納袋が取付けられており、前記収納袋は、布若しくはネットで形成されており、前記マスコットの開口部を通して、前記中空部内外に収納・取出し自在なことを特徴とするストラップ付きおしゃぶりホルダー。【選択図】図５
2006271457.tif 000002
【特許請求の範囲】
【請求項１】
ストラップ基端に固定具を備え、前記基端とストラップ先端の間にマスコットを具備し、ストラップ先端近辺におしゃぶりを掛止可能なストラップ付きおしゃぶりホルダーであり、前記マスコットは柔軟な素材製であって、中空状であり且つ開口部を有し、前記開口部を通して、前記おしゃぶりを前記中空部内外に収納・取出し自在なことを特徴とするストラップ付きおしゃぶりホルダー。
【請求項２】
ストラップ基端に固定具を備え、前記基端とストラップ先端の間にマスコットを具備し、ストラップ先端近辺におしゃぶりを掛止可能なストラップ付きおしゃぶりホルダーであり、前記マスコットは柔軟な素材製であって、中空状であり且つ開口部を有し、前記開口部内側若しくは外側周辺に、おしゃぶりを収納・取出し自在な開口部を有するおしゃぶり収納袋が取付けられており、前記収納袋は、布若しくはネットで形成されており、前記マスコットの開口部を通して、前記中空部内外に収納・取出し自在なことを特徴とするストラップ付きおしゃぶりホルダー。
【請求項３】
おしゃぶり収納袋は、ボタン、スナップボタン、ファスナー若しくは面ファスナーを有し、マスコットに脱着可能なことを特徴とする請求項２記載のストラップ付きおしゃぶりホルダー。
【請求項４】
おしゃぶり収納袋を形成する布若しくはネットは、抗菌性繊維製であること特徴とする請求項２、請求項３のいずれか１項記載のストラップ付きおしゃぶりホルダー。
【請求項５】
おしゃぶり用収納袋の開口部周辺に紐、ゴムバンド、弾性繊維、スナップボタン、ファスナー若しくは面ファスナーを有し、前記開口部は閉鎖・開口自在なことを特徴とする請求項２〜請求項４のいずれか１項記載のストラップ付きおしゃぶりホルダー。
【請求項６】
ストラップがマスコットにより分断されていることを特徴とする請求項１〜請求項５のいずれか１項記載のストラップ付きおしゃぶりホルダー。
【請求項７】
マスコットを形成する柔軟な素材が布若しくは人工皮革であることを特徴とする請求項１〜請求項６のいずれか１項記載のストラップ付きおしゃぶりホルダー。
【請求項８】
布は抗菌性繊維製であり、人工皮革は抗菌処理が施されている請求項７記載のストラップ付きおしゃぶりホルダー。
【請求項９】
マスコットの開口部周辺に紐、ゴムバンド、弾性繊維、スナップボタン、ファスナー若しくは面ファスナーを有し、前記開口部は閉鎖・開口自在なことを特徴とする請求項１〜請求項８のいずれか１項記載のストラップ付きおしゃぶりホルダー。
【請求項１０】
マスコットの開口部が、前記マスコットの側面、背面若しくは下面にあることを特徴とする請求項１〜請求項９のいずれか１項記載のストラップ付きおしゃぶりホルダー。
【発明の詳細な説明】
【技術分野】
【０００１】
本発明は、ストラップ基端に乳幼児の衣服等への固定具を備え、ストラップ基端とストラップ先端の間にマスコットを具備し、ストラップ先端近辺に掛止したおしゃぶりをマスコット内に収納可能なおしゃぶりホルダーに関する。
【背景技術】
【０００２】
乳幼児の使用するおしゃぶりは常に衛生的であることが好ましい。しかし、おしゃぶりは乳幼児の口から外れて、床面や地面に落下して汚れたり、紛失することがある。その防止策として、一般的におしゃぶりを乳幼児の衣服やよだれ掛けに固定するためのストラップが用いられている。
【０００３】
乳幼児の衣服やよだれ掛けに固定されたストラップの先端近辺に掛止されているおしゃぶりが乳幼児の口から外れたときに、おしゃぶりの乳首が汚れないようにするために乳首を格納する容器を具備したおしゃぶりホルダーが公知である（特許文献１参照）。しかし、乳幼児は乳首だけでなく、シールドもなめることがあるため、前記の乳首のみ格納する容器では衛生上の問題がある。したがって、母親等の保護者が上記おしゃぶりホルダーをかばん、バッグ等にしまうときは、おしゃぶりを他のケースに入れたり、ハンカチに包む等の必要があり手間がかかる。
【０００４】
さらに、乳首のみならずおしゃぶりシールドも含めたおしゃぶり全体を格納する容器としては、枢着式に相互結合されたボトムプレートとカバーユニットとから成るおしゃぶりボックスが公知である(特許文献２参照)。しかしながら、衣服に直接固定されたおしゃぶりボックスは乳幼児にとって邪魔であるし、乳幼児が動いている状態でのおしゃぶりボックスの開閉は非常に困難である。また前向きに倒れたときに胸を圧迫して危険である。
【０００５】
また、おしゃぶりを格納する容器がプラスチック製であって形状が複雑であるので、洗浄が難しく衛生上問題がある。
【０００６】
【特許文献１】実用新案登録第３１０２９０４号
【特許文献２】米国特許第５１５６６１７号明細書
【発明の開示】
【発明が解決しようとする課題】
【０００７】
かかる状況に鑑み、本発明者は上記問題点のないおしゃぶりホルダーを開発すべく鋭意研究した結果、おしゃぶり全体を収納容易であり、清潔に保つことができ、収納したおしゃぶり全体を取出しやすいストラップ付きおしゃぶりホルダー、さらには、おしゃぶりホルダー全体又はその一部を洗濯することができるストラップ付きおしゃぶりホルダーを発明するに至った。
【課題を解決するための手段】
【０００８】
上記課題は下記のおしゃぶりホルダーによって解決される。
［１］ストラップ基端に固定具を備え、前記基端とストラップ先端の間にマスコットを具備し、ストラップ先端近辺におしゃぶりを掛止可能なストラップ付きおしゃぶりホルダーであり、前記マスコットは柔軟な素材製であって、中空状であり且つ開口部を有し、前記開口部を通して、前記おしゃぶりを前記中空部内外に収納・取出し自在なことを特徴とするストラップ付きおしゃぶりホルダー。
［２］ストラップ基端に固定具を備え、前記基端とストラップ先端の間にマスコットを具備し、ストラップ先端近辺におしゃぶりを掛止可能なストラップ付きおしゃぶりホルダーであり、前記マスコットは柔軟な素材製であって、中空状であり且つ開口部を有し、前記開口部内側若しくは外側周辺に、おしゃぶりを収納・取出し自在な開口部を有するおしゃぶり収納袋が取付けられており、前記収納袋は、布若しくはネットで形成されており、前記マスコットの開口部を通して、前記中空部内外に収納・取出し自在なことを特徴とするストラップ付きおしゃぶりホルダー。
［３］おしゃぶり収納袋は、ボタン、スナップボタン、ファスナー若しくは面ファスナーを有し、マスコットに脱着可能とすることを特徴とする［２］記載のストラップ付きおしゃぶりホルダー。
［４］おしゃぶり収納袋を形成する布若しくはネットは、抗菌性繊維製であること特徴とする［２］、［３］のいずれか記載のストラップ付きおしゃぶりホルダー。
［５］おしゃぶり用収納袋の開口部周辺に紐、ゴムバンド、弾性繊維、スナップボタン、ファスナー若しくは面ファスナーを有し、前記開口部は閉鎖・開口自在なことを特徴とする［２］〜［４］のいずれか記載のストラップ付きおしゃぶりホルダー。
［６］ストラップがマスコットにより分断されていることを特徴とする［１］〜［５］のいずれか記載のストラップ付きおしゃぶりホルダー。
［７］マスコットを形成する柔軟な素材が布若しくは人工皮革であることを特徴とする［１］〜［６］のいずれか記載のストラップ付きおしゃぶりホルダー。
［８］布は抗菌性繊維製であり、人工皮革は抗菌処理が施されている［７］記載のストラップ付きおしゃぶりホルダー。
［９］マスコットの開口部周辺に紐、ゴムバンド、弾性繊維、スナップボタン、ファスナー若しくは面ファスナーを有し、前記開口部は閉鎖・開口自在なことを特徴とする［１］〜［８］のいずれか記載のストラップ付きおしゃぶりホルダー。
［１０］マスコットの開口部が、前記マスコットの側面、背面若しくは下面にあることを特徴とする［１］〜［９］のいずれか記載のストラップ付きおしゃぶりホルダー。
【発明の効果】
【０００９】
請求項１〜請求項１０のストラップ付きおしゃぶりホルダーは、乳幼児がおしゃぶりをしゃぶらないときは、おしゃぶり全体をマスコットの中空部内若しくはおしゃぶり収納袋に収納して汚れを防止することができ、おしゃぶりをしゃぶりたいときはマスコット中空部内若しくはおしゃぶり収納袋内から取出し容易である。また、おしゃぶり全体をマスコットの中空部内若しくはおしゃぶり収納袋内に収納した状態でバッグ等にしまうことができて便利である。
請求項２〜請求項４のストラップ付きおしゃぶりホルダーは、おしゃぶり収納袋が布若しくはネットで形成されているため、おしゃぶりを外せばおしゃぶりホルダーごと又はおしゃぶり収納袋のみを洗濯することができ、従来のおしゃぶりホルダーと比べて衛生的である。特に請求項３のストラップ付きおしゃぶりホルダーは、おしゃぶり収納袋のみを洗濯することができ、マスコットやストラップの洗濯による傷みを防止することができる。
請求項７のストラップ付きおしゃぶりホルダーは、マスコットが布若しくは人工皮革で形成されているので洗濯することができ、従来のおしゃぶりホルダーに比べて衛生的である。
請求項５と請求項９のストラップ付きおしゃぶりホルダーは、マスコットやおしゃぶり収納袋の開口部に紐、ゴムバンド、弾性繊維、スナップボタン、ファスナー若しくは面ファスナーを有するため、マスコットやおしゃぶり収納袋からおしゃぶりが不意に飛び出ることがなく、且つ容易におしゃぶりを取出し、収納することができる。
請求項１０のストラップ付きおしゃぶりホルダーは、マスコット開口部が、マスコットの側面、背面若しくは下面にあるため、マスコットのデザインを損なわない。
請求項１〜請求項１０のストラップ付きおしゃぶりホルダーは、マスコットをおしゃぶりの収納場所として利用するため、おしゃぶりホルダー全体について乳幼児が好むデザインを確保できる。
請求項４と請求項８のストラップ付きおしゃぶりホルダーは、抗菌性繊維製若しくは抗菌処理が施されているので、おしゃぶりを清潔に保つことができ極めて衛生的である。
【発明を実施するための最良の形態】
【００１０】
おしゃぶりストラップ基端の固定具は、乳幼児の衣服やよだれ掛けに脱着容易なものであればよく、クリップ、スナップボタン、ボタン、安全ピン、面ファスナーが例示される。おしゃぶりストラップ基端の固定具の代わりにストラップの形状を首に掛けられるようにしてもよい。またストラップは、布製もしくは人工皮革製のテープがベストであるが、軟質プラスチックテープや紐状であってもよい。ストラップは、その基端からおしゃぶりを掛止する先端部まで連続していてもよく、マスコットにより分断されていてもよい。
【００１１】
本発明におけるマスコットは、狭義のマスコットのみならず、人が愛玩する形状、模様、色彩若しくはそれらの組み合わせを有する有形物をいう。例えば、動物をモチーフした人形、花模様がある有形物、ハート形有形物、キャラクター人形等である。マスコットは、ストラップ基端とストラップ先端の間に位置する。マスコットは、ストラップ基端の直近に位置してもよく、ストラップ基端とストラップ先端の中間に位置してもよい。マスコットは、柔軟な素材でできており、中空状であり且つ開口部を有するので、前記開口部を通して、前記おしゃぶりを前記中空部内に収納でき、収納したおしゃぶりを取出すことができる。おしゃぶりをマスコット中空部内に収納する場合及びおしゃぶりをおしゃぶり袋に収納した状態でマスコット中空部内に収納する場合には、マスコット中空部の大きさはおしゃぶりが収納可能な大きさであればよい。またおしゃぶり袋のみをマスコット中空部内に収納する場合には、マスコット中空部の大きさはおしゃぶり袋が畳まれた状態で収納可能な大きさであればよい。マスコットは通常ストラップに縫い付けられているが、ボタン留めや面ファスナーなどにより脱着可能とすれば、様々なデザインのマスコットを同一ストラップに取り付けることができるので好ましい。
【００１２】
マスコットは柔軟な素材で形成されているが、洗濯可能な素材が好ましい。柔軟な素材として布、人工皮革と軟質プラスチックが例示される。マスコットが人工皮革製や軟質プラスチック製であるときは、中空部内に裏地があり、その裏地は布で形成されていることが好ましい。
【００１３】
おしゃぶり収納袋は布又はネットで形成されており、その布、ネットは抗菌性繊維で作られていることが好ましい。
【００１４】
マスコット、マスコット中空部内裏地及びおしゃぶり収納袋の布としては、織物、編物及び不織布が例示される。編物は柔らかく、伸縮しやすいので、シールド付きおしゃぶりを収納するのに適している。織物，編物，不織布ともに、木綿，羊毛，絹などの天然繊維，レーヨン，アセテートなどの半合成繊維，ナイロン，ポリエステル，ポリアクリロニトリルなどの合成繊維，木綿や羊毛と合成繊維の混紡などからできているが、洗濯後の乾燥の速さと強度の点で合成繊維製が好適である。
【００１５】
おしゃぶり収納袋がネットであるときは、ナイロン，ポリエステル，ポリプロピレンなどの合成繊維製が強度の点で好適である。
【００１６】
布，ネットともに抗菌性繊維製であると、唾液や食物かすがおしゃぶりに付着していても、ばい菌の増殖を防止できるので好ましい。抗菌性繊維は抗菌剤で後処理したものと、抗菌剤を含有したものがあるが、抗菌剤のおしゃぶりへの移行がない点で抗菌剤含有合成繊維が好ましい。特に銀イオンを担持したセラミック粒子を含有するナイロン，ポリエステル等の合成繊維が好ましい。
【００１７】
マスコット，収納袋ともに、その開口部自体若しくは周辺に、ゴムバンド、弾性繊維、スナップボタン、ファスナー若しくは面ファスナーを有し閉鎖，開口自在とすることが好ましい。特におしゃぶり収納袋は、その開口部周端にその開口部より小さい直径のリング状ゴムバンドを組み込んでおくと、おしゃぶりを収納しやすく、収納したおしゃぶりが脱落しにくく、収納したおしゃぶりを取出しやすいので好適である。
【実施例】
【００１８】
本発明の実施例を図面に基づいて説明する。図１〜図６には、ストラップ基端にクリップを備え、ストラップ途中におしゃぶりを収納可能なマスコットを具備し、ストラップ先端におしゃぶりを具備したおしゃぶりホルダーを示した。
【００１９】
［実施例１］
図１は布製のストラップが布製のマスコット２により分断されているストラップ付きおしゃぶりホルダーＡ１の正面図であり、図２はストラップ付きおしゃぶりホルダーＡ１の背面図であり、図３はストラップがマスコット２により分断されているストラップ付きおしゃぶりホルダーＡ１において、乳首１ａ、おしゃぶりシールド１ｂ、おしゃぶりリング１ｃからなるおしゃぶり１をマスコット２内に収納した状態を示す図である。おしゃぶりホルダーＡ１のストラップ基端３ａには乳幼児の衣服やよだれ掛けに固定するためのクリップ４が設けられており、ストラップ３ｂの下端がマスコット２の上部に縫い付けられている。マスコット２の下部にストラップ３ｃの上端が縫い付けられており、ストラップ３ｃの先端３ｄにはスナップボタン３ｅが設けられており、ストラップ３ｃの先端３ｄはリング状になっており、そのリング状となっているストラップ３ｃの先端３ｄにおしゃぶりリング１ｃを通すことでおしゃぶり１を掛止可能としている。マスコット２の背面には、おしゃぶり１をマスコット中空部２ａ内に収納するための開口部２ｂが設けられている。図３に示すように、おしゃぶり１は、マスコット２背面の開口部２ｂを通して、マスコット２の中空部２ａ内に収納される。おしゃぶり１全体がマスコット２内に収納されているため、おしゃぶり１不使用時に、おしゃぶり１の汚れを防止することができる。
【００２０】
［実施例２］
図４は、実施例１記載のストラップ付きおしゃぶりホルダーＡ１において、マスコット２背面の開口部２ｂ上にスナップボタン５ａ付きの蓋５を有するストラップ付きおしゃぶりホルダーＡ２を示している。スナップボタン５ａ付きの蓋５によって、マスコット２の中空部２ａ内に収納されているおしゃぶり１の飛び出しや脱落を確実に防止できる。
【００２１】
［実施例３］
図５は、実施例１記載のストラップ付きおしゃぶりホルダーＡ１において、マスコット２背面の開口部２ｂの外側に、織物製のおしゃぶり収納袋６の付け根６ａを縫い付けたおしゃぶりホルダーＡ３を示している。開口部６ｂにはその直径より小さい直径のゴムバンドが組み込まれているおしゃぶり収納袋６はおしゃぶり１を収納可能、且つ取出し可能とする開口部６ｂを有している。おしゃぶり１を収納したおしゃぶり収納袋６は、マスコット２背面の開口部２ｂを通してマスコット２の中空部２ａ内に収納可能であり、且つ取出し可能である。おしゃぶり収納袋６をマスコット２の中空部２ａから外に出した状態で洗濯することによって衛生的に保つことができ、ひいてはおしゃぶり１を衛生的に保つことができる。なお、おしゃぶり収納袋６の付け根６ａはマスコット２背面の開口部２ｂの内側に縫い付けられていてもよい。
【００２２】
［実施例４］
図６は、実施例１記載のストラップ付きおしゃぶりホルダーＡ１のようにストラップがマスコット２によってストラップ３ｂとストラップ３ｃに分断されておらず、ストラップ３がその基端から先端まで一連となっているストラップ付きおしゃぶりホルダーＡ４を示している。マスコット２は、その背面に開口部２ｂを有している。ストラップ付きおしゃぶりホルダーＡ４では、おしゃぶりストラップ３の中間部に、マスコット２背面の上部２ｃがスナップボタン３ｆにより固定されている。したがって、ストラップ３に様々なデザインのマスコットを取り替えて取り付け可能である。なお、図６において、実施例３のように開口部２ｂの外側におしゃぶり収納袋６の付け根６ａを縫い付けてもよい。
【産業上の利用可能性】
【００２３】
本発明のストラップ付きおしゃぶりホルダーは、おしゃぶりを取り付けて乳幼児に使用させ、不使用時には衛生的に保管するのに有用である。
【図面の簡単な説明】
【００２４】
【図１】図１は実施例１のストラップ付きおしゃぶりホルダーＡ１の正面図である。
【図２】図２は実施例１のストラップ付きおしゃぶりホルダーＡ１の背面図である。
【図３】図３は実施例１のストラップ付きおしゃぶりホルダーＡ１において、乳首１ａ、おしゃぶりシールド１ｂ、おしゃぶりリング１ｃからなるおしゃぶり１をマスコット２内に収納した状態を示す図である。
【図４】図４は実施例２のストラップ付きおしゃぶりホルダーＡ２の背面図である。
【図５】図５は実施例３のストラップ付きおしゃぶりホルダーＡ３の側面図である。
【図６】図６は実施例４のストラップ付きおしゃぶりホルダーＡ４の側面図である。
【符号の説明】
【００２５】
１    おしゃぶり
１ａ  乳首
１ｂ  おしゃぶりシールド
１ｃ  おしゃぶりリング
２    マスコット
２ａ  マスコットの中空部
２ｂ  マスコットの開口部
３    ストラップ
３ａ  ストラップ基端
３ｂ  ストラップ
３ｃ  ストラップ
３ｄ  ストラップ先端
３ｅ  スナップボタン
３ｆ  スナップボタン
４    クリップ
５    蓋
５ａ  スナップボタン
６    おしゃぶり収納袋
６ａ  おしゃぶり収納袋の付け根
６ｂ  おしゃぶり収納袋の開口部
【図１】
2006271457.tif 000003
【図２】
2006271457.tif 000004
【図３】
2006271457.tif 000005
【図４】
2006271457.tif 000006
【図５】
2006271457.tif 000007
【図６】
2006271457.tif 000008